(57)【要約】【課題】  認証記号のみの入力方法に比べ、組み合わせ入力パターンを増加することができ、利用者認証が便利な照合装置を提供することである。【解決手段】    利用者認証照合装置において、暗証番号などの４桁程度の数字または記号などの文字列と、これらの文字列が入力される入力リズムとを検出し、これらの認証記号及び入力リズムと予め記憶されている基準認証記号及び基準認証記号の入力リズムが一致するか否かを判断して、一致する場合は利用者として認証する。【選択図】      図２
2005242706.tif 000002
【特許請求の範囲】
【請求項１】
認証記号の入力により、情報処理装置の利用者の認証を行うための照合装置であって、
前記認証記号を入力する入力手段と、
前記入力手段により入力された前記認証記号の入力リズムを検出する検出手段と、
前記入力手段で入力された認証記号及び前記検出手段で検出された入力リズムを記憶する入力データ記憶手段と、
利用者の基準認証記号及び前記基準認証記号の入力リズムを記憶する基準データ記憶手段と、
前記入力データ記憶手段に記憶されている認証記号及び入力リズムと、前記基準データ記憶手段に記憶されている基準の認証記号及び基準認証記号の入力リズムとが一致するか否かを判断する判断手段と、
を備えた利用者認証照合装置。
【請求項２】
前記基準データ記憶手段に記憶されている基準認証記号及び基準認証記号の入力リズムは、前記入力手段を用いて、予め登録されているものである、請求項１に記載の利用者認証照合装置。
【請求項３】
前記検出手段は記号を押す時間の長さを前記入力リズムとして検出するものである、請求項１から２のいずれかに記載の利用者認証照合装置。
【請求項４】
前記認証記号は複数の記号を有するものであって、
前記検出手段はそれぞれの記号を押す時間間隔の長さを入力リズムとして検出するものである、
請求項１から３のいずれかに記載の利用者認証照合装置。
【請求項５】
前記認証記号は複数の記号を有するものであって、
前記検出手段はそれぞれの記号を押す時間の長さが異なるものを入力リズムとして検出するものである、
請求項１から４のいずれかに記載の利用者認証照合装置。
【請求項６】
前記認証記号は複数の記号を有するものであって、
前記検出手段は一の認証記号を押しながら別の認証記号が押されたことを入力リズムとして検出するものである、
請求項１から５のいずれかに記載の利用者認証照合装置。
【請求項７】
前記入力手段で入力した認証記号及びその入力リズムを表示する表示手段を更に備えた、請求項１から６のいずれかに記載の利用者認証照合装置。
【発明の詳細な説明】
【技術分野】
【０００１】
本発明は、認証番号の入力により、情報処理装置の利用者の認証を行うための照合装置に関する。
【背景技術】
【０００２】
利用者の認証が必要な例えばＩＣカードを利用する際または情報端末を使用する際の利用者認証方法として、パスワードなど暗証番号の入力による方法が一般的に使われている。この方法は、前もって利用者のＩＣカード番号ごとに暗証番号を登録しておき、照合装置から暗証番号を入力させ、予め登録しておいた暗証番号との照合を行い、一致したとき利用者の認証を行うものである。その際、広く使用可能であるものとして、４桁の暗証番号の入力が一般的であるが、他人に容易に推測されないようにするため、生年月日、電話番号、住所の番地などの使用は避けるように勧められている。しかし、利用者が通常使用しない数字または記号の組み合わせで作成したパスワードまたは暗証番号は記憶に定着しにくく、利用者がパスワードまたは暗証番号を忘れてしまう状態がたびたび発生する。特に、個人が所有する各種ＩＣカード例えばクレジットカードなどの種類及び枚数が増えるに伴い、これらを利用する際の利用者認証に必要な暗証番号の数も増えることになり、他人に推測されないような暗証番号の組み合わせ入力パターンの作成が難しくなる。さらにこれらの暗証番号を忘れることがよく発生する。
【０００３】
そこで、利用者認証方法として、手書き照合装置を備えて筆跡入力パターン認証による認証装置あるいはカメラセンサで本人の生体的特徴を判断するバイオメトリクス認識装置などが開発されている。また、利用者が特定ワードを入力する際のタイミング入力パターンを抽出して基準パラメータとして用意し、任意の利用者から特定ワードの入力があった場合、その特定ワードのタイミング入力パターンと基準パラメータとを照合し、その結果に基づいて利用者認証を行う利用者認証方法も開発されている。
【特許文献１】特開平０８−１３７８００号公報
【特許文献２】特開平２００１−２１６２６９号公報
【特許文献３】特開平１０−２６９１８２号公報
【発明の開示】
【発明が解決しようとする課題】
【０００４】
しかし、筆跡認証またはバイオメトリクス認証には、特別な「ヒューマンインタフェース手段」を追加する必要がある。利用者の特定ワード入力のタイミング入力パターン認証方法では、認証記号の組み合わせ入力パターンを増やすことは不可能である。また、利用者が特定ワードを入力するタイミング入力パターンを照合装置が自動的に読み取って利用者認証を行うため、本人の許諾を得たものでも利用者として認証できないなどの不都合が発生する。
【０００５】
本発明の目的は、認証記号のみの入力方法に比べ、組み合わせ入力パターンを増加することができ、利用者認証が便利な照合装置を提供することである。
【課題を解決するための手段】
【０００６】
請求項１に係る装置は、認証記号の入力により、情報処理装置の利用者の認証を行うための照合装置であって、入力手段と、検出手段と、入力データ記憶手段と、基準データ記憶手段と、判断手段とを備えている。
【０００７】
入力手段は認証記号を入力する手段であり、検出手段は入力された認証記号の入力リズムを検出する手段である。入力データ記憶手段は入力手段で入力された認証記号及び検出手段で検出された入力リズムを記憶する手段である。基準データ記憶手段は利用者の基準認証記号及び基準認証記号の入力リズムを記憶する手段である。判断手段は、入力データ記憶手段に記憶されている認証記号及び入力リズムと、基準データ記憶手段に記憶されている基準の認証記号及び基準認証記号の入力リズムとが一致するか否かを判断する手段である。
【０００８】
この装置は、入力手段を用いて入力された認証記号、例えば暗証番号などの４桁程度の数字または記号などの文字列と、これらの文字列が入力される入力リズムとを検出し、これらの認証記号及び入力リズムと予め記憶されている基準認証記号及び基準認証記号の入力リズムが一致するか否かを判断して、一致する場合は利用者として認証するものである。
【０００９】
したがって、この利用者認証照合装置では、同じ認証記号を使用する場合でも、入力リズムを変化させることにより、多くの入力パターンを作ることができる。
【００１０】
請求項２に係る利用者認証照合装置は、請求項１の装置において、基準データ記憶手段に記憶されている基準認証記号及び基準認証記号の入力リズムは、入力手段を用いて予め登録されているものである。
【００１１】
この装置は、利用者認証の基準としての基準認証記号及び基準認証記号の入力リズムを、照合装置の入力手段を用いて予め登録させている。
【００１２】
ここで、利用者は自分にとって記憶しやすい文字列を選択し、自分特有のリズムで入力したものを自己認証の基準として登録することができる。
【００１３】
したがって、電話番号など忘れにくいものであるが、他人に推測されやすいため暗証番号には使用が戒められている数字でも、入力リズムを加えることによって他人に推測されにくくなり、暗証番号として使用が可能である。
【００１４】
請求項３に係る利用者認証照合装置は、請求項１から２のいずれかの装置において、検出手段は記号を押す時間の長さを入力リズムとして検出するものである。
【００１５】
この装置は、認証記号とともに、これらの記号を押す時間の長さの組み合わせを入力リズムとして選択することができる。
【００１６】
したがって、この装置では、請求項１の発明と同様の効果を奏することができると同時に、少ない記号を用いて通常の４桁暗証番号と同じ効果が得られる。
【００１７】
請求項４に係る利用者認証照合装置は、請求項１から３のいずれかの装置において、認証記号は複数の記号を有するものであって、検出手段はそれぞれの記号を押す時間間隔の長さを入力リズムとして検出するものである。
【００１８】
この装置は、複数の記号からなる認証記号とともに、それぞれの記号を押す時間間隔を入力リズムとして選択することができる。
【００１９】
したがって、この装置では、請求項１の発明と同様の効果を奏することができると同時に、認証記号が他人に知られても、入力リズムは他人に推測されにくいため、不正使用を防止することができる。
【００２０】
請求項５に係る利用者認証照合装置は、請求項１から４のいずれかの装置において、認証記号は複数の記号を有するものであって、検出手段はそれぞれの記号を押す時間の長さが異なるものを入力リズムとして検出するものである。
【００２１】
この装置は、複数の記号からなる認証記号とともに、それぞれの記号を押す時間の長さが異なるものを入力リズムとして選択することができる。
【００２２】
したがって、この装置では、請求項４の発明と同様の効果を奏することができると同時に、組み合わせ入力パターンを更に増加することができる。
【００２３】
請求項６に係る利用者認証照合装置は、請求項１から５のいずれかの装置において、認証記号は複数の記号を有するものであって、検出手段は一の認証記号を押しながら別の認証記号が押されたことを入力リズムとして検出するものである。
【００２４】
したがって、この利用者認証照合装置では、同じ文字列を使用する場合でも、入力方法を変化させることにより、多くの入力パターンを作ることができる。
【００２５】
請求項７に係る利用者認証照合装置は、請求項１から６のいずれかの装置において、入力手段で入力した認証記号及びその入力リズムを表示する表示手段を更に備えたものである。
【００２６】
この装置は、表示手段が設けられており、利用者が入力する認証記号及びその入力リズムを表示する。
【００２７】
したがって、この装置を用いて利用者が認証手続きを行う際、表示された認証記号及び入力リズムをチェックしながら、予め登録した自己認証の基準としての基準認証記号と一致した入力記号を正確な入力リズムで入力することができる。
【発明の効果】
【００２８】
本発明の利用者認証照合装置では、認証記号に加えて認証記号を入力する入力リズムを利用者認証の判断基準とすることにより、同じ認証記号を使用する場合でも、入力リズムを変化させることにより、多くの入力パターンを作ることができる。また、利用者は自分にとって記憶しやすい文字列を選択し、自分特有のリズムで入力したものを自己認証の基準として登録することができる。したがって、住所など他人に推測されやすいため認証記号でも、入力リズムを加えることによって他人に推測されにくくなり、暗証番号として使用することが可能である。
【発明を実施するための最良の形態】
【００２９】
［第１実施形態］
図１は本発明の一実施形態が採用された利用者認証照合装置の構成ブロック図である。認証照合装置１は、制御部２と、操作部３と、表示部４とから構成されている。
【００３０】
操作部３は、認証記号を入力するキー及び認証入力パターンを選択するためのタッチパネルなどから構成されており、制御部２に接続されている。表示部４は、操作部３を用いて入力された認証記号及び入力リズムを表示するものであって、制御部２に接続されている。
【００３１】
制御部２は、記憶部２１、判断部２２、情報処理部２３から構成されており、具体的にはＣＰＵ、ＲＡＭ及びＲＯＭ等で構成される。記憶部２１は、利用者が自己認証の基準として予め登録されている基準認証記号及び基準認証記号の入力リズムを記憶する基準データ記憶部２１１と、操作部３により入力される認証記号及び入力リズムを記憶する入力データ記憶部２１２とで構成される。判断部２２は、操作部３により入力された認証記号及び入力リズムが、記憶部２１に記憶されている自己認証基準と一致するか否かを判断する。情報処理部２３は、判断部２２の判断結果に基づいて、利用者認証を行うかまたは認証を行わないなどの処理を行う。
【００３２】
図２は入力パターン選択画面を表したものである。ここで、入力パターン１は通常の認証記号のみである。入力パターン２は認証記号及び記号を押す時間の長さを入力リズムとするものである。入力パターン３は認証記号及び記号を押す時間間隔の長さを入力リズムとするものである。入力パターン４は認証記号と記号を押す時間の長さ及び記号を押す時間間隔の長さを入力リズムとするものである。入力パターン５は１または複数の認証記号を押しながら、他の認証記号を押すものである。
【００３３】
図３は、利用者が自己認証の基準として、予め登録する認証記号及び入力リズムの入力パターンの例を表したものである。
【００３４】
入力パターン１の例は、従来の４桁の暗証番号であって、認証記号を「１２３４」として登録したものである。
【００３５】
入力パターン２の例は、認証記号が「１２３」であって、入力リズムは、キー「１」を押す時間を１秒、キー「２」を押す時間を２秒、キー「３」を押す時間を３秒と設定して登録したものである。
【００３６】
入力パターン３の例は、認証記号が「１２３」であって、入力リズムは、キー「１」を押した後キー「２」を押すまでの間隔を２秒、キー「２」を押した後キー「３」を押すまでの間隔を２秒と設定して登録したものである。
【００３７】
入力パターン４の例は、認証記号が「１２３」であって、入力リズムは、キー「１」を押す時間を１秒、キー「１」を押した後キー「２」を押すまでの間隔を２秒、キー「２」を押す時間を２秒、キー「２」を押した後キー「３」を押すまでの間隔を２秒、キー「３」を押す時間を３秒と設定して登録したものである。
【００３８】
入力パターン５の例は、認証番号が「８１２３」であって、キー「８」を押しながら、キー「１」を１秒、キー「２」を１秒、キー「３」を２秒押すように設定したものである。
【００３９】
次に、図４に基づいて、利用者認証照合装置の認証番号及び入力リズムの登録過程をフローチャートで説明する。
【００４０】
まず、操作部３の入力モードを登録モードに設定する。ステップＳ１では、入力パターン選択画面（図２）を表示部４に表示する。ステップＳ２で、利用者が入力パターンを選択したか否かを判断する。ステップＳ３では、利用者のキー操作で入力された認証記号及び入力リズムにしたがって、認証基準の登録処理を行う。例えば、利用者により入力パターン２が選択され、基準認証記号として利用者のラッキナンバー「１２３」を、利用者の好きな入力リズム例えば、第１キー「１」をおす時間の長さを１秒、第２キー「２」を押す時間の長さを２秒、第３キー「３」を押す時間の長さを３秒で入力された場合、この「１２３」を基準認証番号として、この入力リズムを基準認証番号の入力リズムとして基準データ記憶部に登録する。その際、ステップＳ４では、利用者が入力した認証記号及び入力時間を表示部に表示する。ステップＳ５では、登録を終了するか否かの確認判断を行う。利用者が登録の終了を確認した場合は登録モードを完了し、登録を終了しないことを確認した場合は、ステップＳ２に戻る。
【００４１】
次に、図５に基づいて、利用者認証照合装置の動作についてフローチャートで説明する。
【００４２】
利用者認証モードにおいて、ステップＳ１１では、利用者により入力された認証番号を受け付ける。ステップＳ１２では、利用者が入力した認証番号及び入力時間を表示部に表示する。ステップＳ１３では、利用者が入力した認証番号及び入力リズムが、基準データ記憶部に記憶されている基準認証番号及び入力リズムと一致するか否かを判断する。一致したと判断した場合は、ステップＳ１３からステップ１４に移行し、情報処理を許可する。一致しないと判断した場合は、ステップ１１に戻り、再度認証番号の入力を求める。
【００４３】
［本実施形態の効果］
本実施形態では、利用者認証の手段として、認証記号のみならず、入力リズムを取り入れることにより、記号のみを入力する方法に比べ、組み合わせパターンを増加することができる。また、認証番号として記号「１２３」のように簡単な記号を用いる場合も、記号を押す時間の長さなど入力リズムと組み合わせることにより、他人に推測されにくくなり、セキュリティ性を向上させることができる。
【００４４】
［第２実施形態］
図６は、本発明の第２実施形態が採用された画像形成装置を示す図である。
【００４５】
この画像形成装置１００は、動作モードとして部門管理モードが設定されているものであって、部門管理に暗証番号を用いている。すなわち、部門管理モードが実行されている場合、キー入力部１０１より、暗証番号を入力しないと画像形成操作ができなくなるようになっている。この場合、利用者認証照合装置の操作部は、画像形成装置のキー入力部１０１のテンキー及びその他のボタンキー部分であり、表示部はキー操作部１０１の表示部分であり、制御部は、画像形成装置１００の制御部に組み込まれている。
【００４６】
本発明を利用して暗証番号の登録を行う場合、通常の暗証番号に加えて、暗証番号を入力する入力リズムを１〜５のいずれか一の入力パターンから選択することができる。暗証番号及び入力パターンの登録動作及び認証動作は第１実施形態と同様である。
【図面の簡単な説明】
【００４７】
【図１】利用者認証照合装置のブロック図。
【図２】認証記号及び入力リズムの入力パターン選択画面図。
【図３】入力パターンの具体例を表す図面。
【図４】認証記号及び入力リズム登録のフローチャート図。
【図５】利用者認証照合装置の動作のフローチャート図。
【図６】他の実施形態が採用されたが像形成装置の図。
【符号の説明】
【００４８】
１  利用者認証照合装置
２  制御部
３  操作部
４  表示部
２１  記憶部
２２  判断部
２３  情報処理部
１００  画像形成装置
１０１  キー入力部
１０２  画像形成装置の制御部
２１１  基準データ記憶部
２１２  入力データ記憶部
【図１】
2005242706.tif 000003
【図２】
2005242706.tif 000004
【図３】
2005242706.tif 000005
【図４】
2005242706.tif 000006
【図５】
2005242706.tif 000007
【図６】
2005242706.tif 000008